(57)【特許請求の範囲】
【請求項１】
情報記録媒体に記録されているデータに基づいて出場処理する自動改札機において、
前記情報記録媒体に記録されているデータを読取る読取手段と、
読取られたデータ中に、入場駅が定期券の有効区間内で、かつ、ＳＦデータを用いて入場した旨が含まれており、出場駅がその定期券の有効区間内で、かつ、その出場日がその定期券の有効期間内のとき、そのＳＦデータの減額処理を行わない制御手段と、
を有することを特徴とする自動改札機。
【請求項２】
情報記録媒体は、無線通信機能を備えたＩＣカードからなる非接触券であることを特徴とする請求項１に記載の自動改札機。
【発明の詳細な説明】
【０００１】
【発明の属する技術分野】
本発明は自動改札機に係り、特に、１枚の情報記録媒体に定期券データ及びＳＦデータの含まれている複合券を効率よく処理することができるようにしたものに関する。
【０００２】
【従来の技術】
近年、利用者（旅客）の利便向上を図るために、定期券を無線通信機能を備えたＩＣカードからなる非接触券とするとともに、自動改札機をその非接触券を処理することのできる非接触式自動改札機とすることが提案されている。
【０００３】
自動改札機が非接触式自動改札機となった場合、利用者は、従来のように定期券を定期券入れから出し入れすることなく、自動改札機に設けられているアンテナの交信範囲に非接触券をかざして、又は、そのアンテナに非接触券を軽くタッチして入出場（入場又は出場を意味している。）することができる。
【０００４】
また、非接触券は、ＩＣカードからなるため、従来の磁気券と比べて格段に記憶容量が大きいので、メモリに定期券データ以外にＳＦデータ（金額データ）をも持たせて、すなわち、ストアードフェアカード（ＳＦカード）の機能を持たせて定期券の区間外を乗車できるようにしたり、あるいは、駅の売店で買物ができるようにすることが考えられている。
【０００５】
このように、非接触券に定期券データ以外にＳＦデータを持たせた複合券の場合、定期券の有効区間外や定期券の有効期間外であっても、ＳＦデータを用いて入出場できるので、利用者の利便を高めることが可能となる。
【０００６】
【発明が解決しようとする課題】
ところで、定期券は、利用者の利便を図るために使用開始日よりも所定期間前に購入することが可能であり、また、ＳＦデータは、複合券にその価値（残額）が記録されているときはいつでも使用可能である。
【０００７】
このため、定期券の開始日の前日に夜間に複合券が用いられた場合、複合券を用いた入場時には、定期券の有効区間内であるが定期券の有効期間前でＳＦデータを用いた入場となり、その複合券を用いた出場時には、定期券の有効区間内で、しかも、定期券の有効期間内となり、この場合、自動改札機において正確な処理が行われなくなってしまう。すなわち、入場時には、定期券が有効期間前のため、入場時には入場駅から定期券の有効区間までの運賃を算出しないので、出場時に引去り処理ができないという不都合が発生してしまう。また、入場駅が定期券の有効区間内であることを想定していないので、入場駅から定期券の発駅，着駅，経路上の他路線との交差駅までのいずれかの駅までの運賃のうち最も安いものを引去るという不都合が発生してしまう。
【０００８】
そこで、本発明は、上述の不都合を解決するためになされたものであって、その目的は、入場時及び出場時が、定期券の有効区間内か有効区間外か、定期券の有効期間前か、有効期間内かにより、ＳＦデータの処理が的確に行えるようにした自動改札機を提供することにある。
【０００９】
【課題を解決するための手段】
本発明は、上記目的を達成するために、情報記録媒体に記録されているデータに基づいて出場処理する自動改札機において、前記情報記録媒体に記録されているデータを読取る読取手段と、読取られたデータ中に、入場駅が定期券の有効区間内で、かつ、ＳＦデータを用いて入場した旨が含まれており、出場駅がその定期券の有効区間内で、かつ、その出場日がその定期券の有効期間内のとき、そのＳＦデータの減額処理を行わない制御手段と、を有することを特徴としている。
【００１０】
前記情報記録媒体は、無線通信機能を備えたＩＣカードからなる非接触券であることを特徴としている。
【００１１】
【発明の実施の形態】
以下、本発明の実施の形態を図面に基づいて説明する。図１は、非接触式自動改札機の斜視図で、その自動改札機Ｇの筐体Ｈの入口側上面には、本発明の情報記録媒体に相当する非接触券Ｃと交信するためのアンテナａが設けられている。非接触券Ｃは、定期券データ及びＳＦデータの記録されている複合券である。
【００１２】
自動改札機Ｇの筐体Ｈの改札通路Ｐの入口側には、自動改札機Ｇの使用可否状態を利用者に表示するための表示部１が設けられている。また、図中、Ｓ，Ｓ…は、改札通路Ｐへの利用者の進入又は改札通路Ｐからの退出、あるいは通過を検知するための光電式の人間検知器であって、筐体Ｈの側面に所定の間隔を保って設けられている。さらに、この人間検知器は、筐体Ｈの上面の改札通路Ｐと反対側でその改札通路Ｐの通過方向に沿って設けられたセンサボックス内に設けられている反射型センサによっても構成されている。この反射型センサは、改札通路Ｐ内の大人の利用者を検知できるように構成されている。
【００１３】
筐体Ｈの側面には、利用者に対して音声案内をするためのスピーカ３が取付けられている。また、筐体Ｈの上面の出口側には、利用者に対して文字により所定の案内を行うための案内表示部４が取付けられている。
【００１４】
図中、５は、自動改札機Ｇの動作を司どる制御器であり、マイクロコンピュータを中心に構成されている。そして、この制御器５には、非接触券Ｃとの間でデータの授受を行うためのリーダライタＲが接続されている。
【００１５】
リーダライタＲは、周知の非接触式自動改札機と同じく、アンテナａを介して非接触券Ｃから定期券データや金額データ等の所定のカードデータを受信するとともに、自動改札機Ｇから非接触券Ｃに残額や入出場情報等の所定のデータを送信できる機能を有している。
【００１６】
図２は、制御器５及び非接触券Ｃの電気的構成を示すブロック図である。自動改札機Ｇに設けられている制御器５の制御部（ＣＰＵ）６は、メモリ７に記憶されているシステムプログラム及びワーキングデータを用いて演算処理を行って、自動改札機Ｇを統括的に制御できるように構成されている。そして、この制御部６には、図示しないＩ／Ｏユニットを介してドアＤ1 ，Ｄ2 を駆動制御するドア駆動ユニット８ａと、案内表示部４の表示内容を駆動制御する案内表示ユニット８ｂと、スピーカ３を駆動制御する音声ドライバ８ｃとが接続されている。なお、この制御部６には、人間検知器Ｓや図示しない反射型センサの検知信号を入力するためのセンサアンプ等が接続されているが、ここでは省略されている。
【００１７】
リーダライタＲには、非接触券Ｃと交信を行うためのアンテナａが接続されている。このアンテナａは、非接触券Ｃとデータ授受を行うための機能と、非接触券Ｃに電力を供給するための機能とが備えられている。
【００１８】
非接触券Ｃは、無線通信機能を有する通常のＩＣカードと同様に、アンテナ１０と、通信制御部１１と、ＣＰＵ１２と、メモリ１３と、自動改札機Ｇからの電力波をアンテナ１０を介して受信し、非接触券Ｃの駆動電力を生成する電力生成回路１５とを有している。メモリ１３には、ＣＰＵ１２の演算処理用のシステムプログラムや、非接触券ＣのカードＩＤ（識別情報）等の所定のデータが記憶されている以外に、そのメモリ１３の定期券データ記憶部１３ａには、定期券の乗車区間等の所定の定期券データが記憶され、また、金額データ記憶部１３ｂには、所定のＳＦデータが記録されている。
【００１９】
次に、図３のフローチャートを用いて出場の制御動作について説明する。今、利用者が自動改札機Ｇを用いて出場しようとしているものとする。
【００２０】
利用者によって非接触券Ｃがアンテナａにかざされると、又は、その非接触券Ｃがアンテナａに軽くタッチされると、自動改札機Ｇと非接触券Ｃとの間でデータ授受が開始され、自動改札機ＧのＣＰＵ６では、非接触券Ｃから得たカードデータを基に出場用の演算処理が行われる（ステップ１００肯定、ステップ１０２。以下、ステップを「Ｓ」とする。）。
【００２１】
上述の演算処理の結果、非接触券Ｃを用いた入場がＳＦデータを用いた入場であり、その入場駅が定期券の有効区間内で、しかも、その入場日がその定期券の有効期間前であり、さらに、出場駅がその定期券の有効区間内で、かつ、その出場日が定期券の有効期間内のとき（Ｓ１０４肯定、Ｓ１０６肯定、Ｓ１０８肯定、Ｓ１１０肯定）、より具体的に説明すると、定期券の使用開始日の前日に定期券の有効区間内の駅に入場し、乗車中に午前０時が過ぎて定期券の有効期間開始日となり、その定期券の有効区間内の駅から出場するときは、出場時のＳＦデータからの減額処理を行わずに定期券による出場処理が行われる（Ｓ１１２）。そして、非接触券Ｃに出場データ等の所定のデータの書込みが行われるとともに、ドアＤが開かれて（自動改札機Ｇがノーマルオープン型のときはそのまま）出場が許可される（Ｓ１１４）。
【００２２】
出場時にまだ定期券の開始日が到来していないとき（Ｓ１０４否定、Ｓ１０８否定）、あるいは、入場駅が定期券の有効区間外のときは（Ｓ１１０否定）、入場駅から定期券の有効区間までの運賃は、ＳＦデータから減額される（Ｓ１１６）。もちろん、出場時に定期券の開始日が到来していないときは、入場駅から出場駅までの全運賃がＳＦデータから減額処理される（Ｓ１０６否定、Ｓ１１８）。ＳＦデータの減額処理が行われたときは、案内表示部４に新残額等の内容が表示される。
【００２３】
なお、上述の例では、情報記録媒体を無線通信機能を備えたＩＣカードからなる非接触券としたが、情報記録媒体を磁気券とすることもできる。この場合は、自動改札機Ｇは投入型とされる。しかし、上述のように、情報記録媒体を非接触券としたときは、記憶容量が大きいので、容易に実施することができる。
【００２４】
【発明の効果】
本発明によれば、情報記録媒体から読取られたデータ中に、入場駅が定期券の有効区間内で、かつ、ＳＦデータを用いて入場した旨が含まれており、出場駅がその定期券の有効区間内で、かつ、その出場日がその定期券の有効期間内のときは、制御手段がそのＳＦデータからの減額処理を行わないので、出場時に複合券を正常に処理することができる。
また、情報記録媒体を無線通信機能を備えたＩＣカードとしたときは、記憶容量が大きいので、入場時のデータ等の記憶を必要とする本発明を容易に実施することができる。
【図面の簡単な説明】
【図１】  本発明の一実施の形態に係る自動改札機を非接触式自動改札機としたときの斜視図である。
【図２】  制御器及び非接触券の電気的構成を示すブロック図である。
【図３】  制御動作を示すフローチャートである。
【符号の説明】
Ｇ  非接触式自動改札機（自動改札機）
５  制御器
Ｒ  リーダライタ
ａ  アンテナ
Ｃ  非接触券（情報記録媒体）
【図１】
0004032373.tif 000002
【図２】
0004032373.tif 000003
【図３】
0004032373.tif 000004